(57)【要約】【課題】より高い耐久性を有し、且つ、使い勝手がより良い電子機器及びテレビ受像装置を提供する。【解決手段】充電式のリモコン１と、このリモコン１から送信される操作信号により制御されるテレビ受像機本体２と、を備えるテレビ受像装置において、テレビ受像機本体２に、リモコン１をその操作面３が当該テレビ受像機本体２の前面２２側となるように収納するリモコン収納部１５と、リモコン１がリモコン収納部１５に収納された状態でリモコン１から出力される操作信号を受信する第２受光部１８と、リモコン１の充電電池９に無接点方式により通電して充電電池９を充電する充電部２１と、を備えた。【選択図】図２
2007150501.tif 000002
【特許請求の範囲】
【請求項１】
充電式のリモコンと、このリモコンから送信される操作信号により制御されるテレビ受像機本体と、を備えるテレビ受像装置において、
前記テレビ受像機本体は、
前記リモコンをその操作面が当該テレビ受像機本体の前面側となるように収納するリモコン収納部と、
前記リモコンが前記リモコン収納部に収納された状態で前記リモコンから出力される操作信号を受信する受信部と、
前記リモコンの充電電池に無接点方式により通電して前記充電電池を充電する充電部と、
前記リモコン収納部の壁面に設けられ、所定の操作信号を出力可能な操作部と、
前記リモコン収納部の壁面に設けられ、前記リモコンを係止可能な係止部と、
前記係止部に前記リモコンが係止されているか否かを判断する判断手段と、を備え、
前記充電部は、前記判断手段により前記係止部に前記リモコンが係止されていると判断された場合に、充電を行い、
前記リモコンは、
前記充電電池の電源電圧を検出する検出部と、
前記検出部により検出された前記電源電圧が所定電圧以下か否かを判断し、前記電源電圧が所定電圧以下であった場合に、前記電子機器に通知情報を送信する通知手段と、を備え、
前記テレビ受像機本体は、
前記リモコンから送信された通知情報を受信した場合に、表示部に前記リモコンの前記電源電圧が所定電圧以下である旨を所定の表示により表示させる表示制御手段と、
を備えることを特徴とするテレビ受像装置。
【請求項２】
充電式のリモコンと、このリモコンから送信される操作信号により制御される電子機器本体と、を備える電子機器において、
前記電子機器本体は、
前記リモコンをその操作面が当該電子機器本体の前面側となるように収納するリモコン収納部と、
前記リモコンが前記リモコン収納部に収納された状態で前記リモコンから出力される操作信号を受信する受信部と、
前記リモコンの充電電池に無接点方式により通電して前記充電電池を充電する充電部と、
を備えることを特徴とする電子機器。
【請求項３】
前記リモコン収納部の壁面に設けられ、所定の操作信号を出力可能な操作部を備えることを特徴とする請求項２に記載の電子機器。
【請求項４】
前記電子機器本体は、
前記リモコン収納部の壁面に設けられ、前記リモコンを係止可能な係止部と、
前記係止部に前記リモコンが係止されているか否かを判断する判断手段と、を備え、
前記充電部は、前記判断手段により前記係止部に前記リモコンが係止されていると判断された場合に、充電を行うことを特徴とする請求項２又は３に記載の電子機器。
【請求項５】
前記リモコンは、
前記充電電池の電源電圧を検出する検出部と、
前記検出部により検出された前記電源電圧が所定電圧以下か否かを判断し、前記電源電圧が所定電圧以下であった場合に、前記電子機器に通知情報を送信する通知手段と、を備え、
前記電子機器本体は、
前記リモコンから送信された通知情報を受信した場合に、表示部に前記リモコンの前記電源電圧が所定電圧以下である旨を所定の表示により表示させる表示制御手段と、
を備えることを特徴とする請求項２〜４の何れか一項に記載の電子機器。
【発明の詳細な説明】
【技術分野】
【０００１】
本発明は、電子機器及びテレビ受像装置に関する。
【背景技術】
【０００２】
従来、リモコンを収納可能な電子機器が知られている（例えば、特許文献１〜４）。例えば、特許文献１に記載の電子機器は、リモコン収納時に、当該リモコンに接点方式により通電を行うことによりリモコンの充電を行う。また、特許文献２及び３に記載の電子機器は、リモコンを電子機器の前面に設けられた収納部に当該リモコンの操作キーが操作可能な状態で収納し、リモコン収納時には、当該リモコンの操作キーをフロントパネルの操作キーとして使用できるようにしている。また、特許文献４に記載の電子機器は、リモコン収納時に、当該リモコンの電源を遮断するとともに、当該リモコンの電源電圧が所定電圧以下になった場合に、注意表示を当該電子機器のディスプレイに表示する。
【特許文献１】特開平０６−１３３３７２号公報
【特許文献２】特開昭６０−２６０２７５号公報
【特許文献３】特開平０６−２１４０６４号公報
【特許文献４】特開２００２−１４２２６８号公報
【発明の開示】
【発明が解決しようとする課題】
【０００３】
しかしながら、特許文献１のように接点方式によりリモコンを充電すると、接点部分がさびるなどして、充電できなくなってしまうという問題がある。また、特許文献２〜４に記載の電子機器は、リモコン収納時に当該リモコンを充電できない。
【０００４】
本発明の課題は、より高い耐久性を有し、且つ、使い勝手がより良い電子機器及びテレビ受像装置を提供することである。
【課題を解決するための手段】
【０００５】
請求項１に記載の発明は、充電式のリモコンと、このリモコンから送信される操作信号により制御されるテレビ受像機本体と、を備えるテレビ受像装置において、
前記テレビ受像機本体は、
前記リモコンをその操作面が当該テレビ受像機本体の前面側となるように収納するリモコン収納部と、
前記リモコンが前記リモコン収納部に収納された状態で前記リモコンから出力される操作信号を受信する受信部と、
前記リモコンの充電電池に無接点方式により通電して前記充電電池を充電する充電部と、
前記リモコン収納部の壁面に設けられ、所定の操作信号を出力可能な操作部と、
前記リモコン収納部の壁面に設けられ、前記リモコンを係止可能な係止部と、
前記係止部に前記リモコンが係止されているか否かを判断する判断手段と、を備え、
前記充電部は、前記判断手段により前記係止部に前記リモコンが係止されていると判断された場合に、充電を行い、
前記リモコンは、
前記充電電池の電源電圧を検出する検出部と、
前記検出部により検出された前記電源電圧が所定電圧以下か否かを判断し、前記電源電圧が所定電圧以下であった場合に、前記電子機器に通知情報を送信する通知手段と、を備え、
前記テレビ受像機本体は、
前記リモコンから送信された通知情報を受信した場合に、表示部に前記リモコンの前記電源電圧が所定電圧以下である旨を所定の表示により表示させる表示制御手段と、
を備えることを特徴としている。
【０００６】
請求項２に記載の発明は、充電式のリモコンと、このリモコンから送信される操作信号により制御される電子機器本体と、を備える電子機器において、
前記電子機器本体は、
前記リモコンをその操作面が当該電子機器本体の前面側となるように収納するリモコン収納部と、
前記リモコンが前記リモコン収納部に収納された状態で前記リモコンから出力される操作信号を受信する受信部と、
前記リモコンの充電電池に無接点方式により通電して前記充電電池を充電する充電部と、
を備えることを特徴としている。
【０００７】
請求項３に記載の発明は、請求項２に記載の電子機器において、
前記リモコン収納部の壁面に設けられ、所定の操作信号を出力可能な操作部を備えることを特徴としている。
【０００８】
請求項４に記載の発明は、請求項２又は３に記載の電子機器において、
前記電子機器本体は、
前記リモコン収納部の壁面に設けられ、前記リモコンを係止可能な係止部と、
前記係止部に前記リモコンが係止されているか否かを判断する判断手段と、を備え、
前記充電部は、前記判断手段により前記係止部に前記リモコンが係止されていると判断された場合に、充電を行うことを特徴としている。
【０００９】
請求項５に記載の発明は、請求項２〜４の何れか一項に記載の電子機器において、
前記リモコンは、
前記充電電池の電源電圧を検出する検出部と、
前記検出部により検出された前記電源電圧が所定電圧以下か否かを判断し、前記電源電圧が所定電圧以下であった場合に、前記電子機器に通知情報を送信する通知手段と、を備え、
前記電子機器本体は、
前記リモコンから送信された通知情報を受信した場合に、表示部に前記リモコンの前記電源電圧が所定電圧以下である旨を所定の表示により表示させる表示制御手段と、
を備えることを特徴としている。
【発明の効果】
【００１０】
請求項１に記載の発明によれば、テレビ受像機本体は、リモコン収納部に、リモコンをその操作面が当該テレビ受像機本体の前面側となるように収納し、受信部により、リモコン収納部に収納された状態のリモコンから出力される操作信号を受信するので、リモコン収納部に収納した状態のリモコンをテレビ受像装置の操作パネルとして使用することができ、テレビ受像装置に操作パネルを別途設ける場合に比べて、当該テレビ受像装置の製造コストを低減することができる。また、リモコンをリモコン収納部に収納することにより、ユーザが、リモコンがどこにあるかを探し回ることを少なくすることができ、当該テレビ受像装置の使い勝手をより良くすることができる。
また、充電部において、リモコンの充電電池が無接点方式により充電されるので、接点方式による充電方法の場合における接点部分がさびることによって充電ができなくなることがないこととなって、当該テレビ受像装置の耐久性をより高くすることができる。
【００１１】
また、所定の操作信号を出力可能な操作部がリモコン収納部の壁面に設けられているので、リモコンの充電電池が切れてしまっても、操作部により所定の操作が可能となり、より使い勝手のよいテレビ受像装置とすることができる。
【００１２】
また、判断手段により、係止部にリモコンが係止されているか否かが判断され、充電部は、判断手段により係止部にリモコンが係止されていると判断された場合に、充電を行うので、リモコン収納部にリモコンを収納するだけでリモコンの充電ができるとともに、リモコンを充電しない場合に、充電部が無駄に通電を行わずに済むこととなって、使い勝手がよく無駄の少ないテレビ受像装置とすることができる。
【００１３】
また、リモコンにおいて、検出部により、充電電池の電源電圧が検出され、通知手段により、検出部によって検出された電源電圧が所定電圧以下か否かが判断され、電源電圧が所定電圧以下であった場合に、テレビ受像装置に通知情報が送信され、テレビ受像機本体において、リモコンから送信された通知情報を受信した場合に、表示制御手段により、表示部にリモコンの電源電圧が所定電圧以下である旨が所定の表示により表示されるので、ユーザがリモコンをリモコン収納部に収納しなくても、リモコンの充電電池が電池切れしそうであることを容易に気づくことができ、さらに使い勝手がよいテレビ受像装置とすることができる。
【００１４】
請求項２に記載の発明によれば、電子機器本体は、リモコン収納部に、リモコンをその操作面が当該電子機器本体の前面側となるように収納し、受信部により、リモコン収納部に収納された状態のリモコンから出力される操作信号を受信するので、リモコン収納部に収納した状態のリモコンを電子機器の操作パネルとして使用することができ、電子機器に操作パネルを別途設ける場合に比べて、当該電子機器の製造コストを低減することができる。また、リモコンをリモコン収納部に収納することにより、ユーザが、リモコンがどこにあるかを探し回ることを少なくすることができ、当該電子機器の使い勝手をより良くすることができる。
また、充電部において、リモコンの充電電池が無接点方式により充電されるので、接点方式による充電方法の場合における接点部分がさびることによって充電ができなくなることがないこととなって、当該電子機器の耐久性をより高くすることができる。
【００１５】
請求項３に記載の発明によれば、請求項２に記載の発明と同様の効果が得られるのは勿論のこと、特に、所定の操作信号を出力可能な操作部がリモコン収納部の壁面に設けられているので、リモコンの充電電池が切れてしまっても、操作部により所定の操作が可能となり、より使い勝手のよい電子機器とすることができる。
【００１６】
請求項４に記載の発明によれば、請求項２又は３に記載の発明と同様の効果が得られるのは勿論のこと、特に、判断手段により、係止部にリモコンが係止されているか否かが判断され、充電部は、判断手段により係止部にリモコンが係止されていると判断された場合に、充電を行うので、リモコン収納部にリモコンを収納するだけでリモコンの充電ができるとともに、リモコンを充電しない場合に、充電部が無駄に通電を行わずに済むこととなって、使い勝手がよく無駄の少ない電子機器とすることができる。
【００１７】
請求項５に記載の発明によれば、請求項２〜４の何れか一項に記載の発明と同様の効果が得られるのは勿論のこと、特に、リモコンにおいて、検出部により、充電電池の電源電圧が検出され、通知手段により、検出部によって検出された電源電圧が所定電圧以下か否かが判断され、電源電圧が所定電圧以下であった場合に、電子機器に通知情報が送信され、電子機器本体において、リモコンから送信された通知情報を受信した場合に、表示制御手段により、表示部にリモコンの電源電圧が所定電圧以下である旨が所定の表示により表示されるので、ユーザがリモコンをリモコン収納部に収納しなくても、リモコンの充電電池が電池切れしそうであることを容易に気づくことができ、さらに使い勝手がよい電子機器とすることができる。
【発明を実施するための最良の形態】
【００１８】
以下、図を参照して、本発明に係る電子機器及びテレビ受像装置を実施するための最良の形態を詳細に説明する。本実施形態では、電子機器としてテレビ受像装置１００を例示して説明する。
【００１９】
本発明の実施形態に係るテレビ受像装置１００は、例えば、図１に示すように、充電式のリモコン１、当該リモコン１から送信される操作信号を受信して当該操作信号により制御される電子機器本体としてのテレビ受像機本体２等を備えて構成される。
【００２０】
リモコン１は、テレビ受像機本体２の前面２２側に設けられたリモコン収納部１５（後述）に、当該リモコン１の操作面３がテレビ受像機本体２の前面２２側となるように収納されるようになっている。
【００２１】
リモコン１は、例えば、図１に示すように、当該リモコン１の操作面３上に、電源キー４，チャンネルキー５，音量キー６等の各種の操作キー等を備えて構成され、当該操作キーが押下されることに基づく各種の操作信号を出力する。
また、リモコン１は、例えば、図２（ａ）に示すように、発光部７，係合穴８，充電電池９等を備えて構成される。
【００２２】
発光部７は、例えば、赤外線を発光し、操作キーが押下されることに基づく操作信号を赤外線信号として出力する。
【００２３】
係合穴８は、例えば、リモコン１の背面１Ａに設けられ、当該リモコン１がテレビ受像機本体２のリモコン収納部１５に収納される際に、当該リモコン収納部１５の底壁面１５Ａに設けられた係止部２０に係合する。
【００２４】
充電電池９は、例えば、充電される電池本体９Ａと、当該電池本体９Ａに直列に接続されたコイル９Ｂ等を備えて構成され、テレビ受像機本体２の充電部２１（後述）によりコイル９Ｂに誘電電流が流されることにより電池本体９Ａが充電される。
【００２５】
また、リモコン１は、例えば、図３（ａ）に示すように、検出部１０，リモコン表示部１１，ＣＰＵ１２，ＲＡＭ１３，記憶部１４等を備えて構成され、ＣＰＵ１２は、検出部１０，リモコン表示部１１，音量キー６，発光部７等と接続されている。
【００２６】
検出部１０は、例えば、電圧計（図示省略）等を備えて構成され、リモコン１の充電電池９の電源電圧、即ち、充電電池９の電池残量を検出する。
【００２７】
リモコン表示部１１は、例えば、ＬＣＤ（Liquid  Crystal  Display）等を備えて構成され、リモコン１の充電電池９の電池残量を表示する。
【００２８】
ＣＰＵ１２は、記憶部１４に格納された処理プログラム等を読み出して、ＲＡＭ１３に展開して実行することにより、リモコン１全体の制御を行う。
【００２９】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００３０】
記憶部１４は、例えば、プログラムやデータ等が予め記憶されている記録媒体（図示せず）を有しており、この記録媒体は、例えば、半導体メモリ等で構成されている。また、記憶部１４は、ＣＰＵ１２がリモコン１全体を制御する機能を実現させるための各種データ，各種処理プログラム，これらプログラムの実行により処理されたデータ等を記憶する。より具体的には、記憶部１４は、例えば、図３（ａ）に示すように、通知プログラム１４Ａ等を格納している。
【００３１】
通知プログラム１４Ａは、例えば、ＣＰＵ１２に、検出部１０によって検出された充電電池９の電源電圧が所定電圧以下か否かを判断し、電源電圧が所定電圧以下であった場合に、テレビ受像機本体２に通知情報を送信する機能を実現させるプログラムである。より具体的には、通知プログラム１４Ａは、ＣＰＵ１２に、検出部１０によって検出された充電電池９の電源電圧が所定電圧以下であった場合に、例えば、リモコン１の音量キー６が押下されることに基づく操作信号をテレビ受像機本体２に送信するのに伴って、電源電圧が所定電圧以下であるという通知情報をテレビ受像機本体２に送信する機能を実現させるプログラムである。ＣＰＵ１２は、かかる通知プログラム１４Ａを実行することにより、通知手段として機能する。
【００３２】
テレビ受像機本体２は、例えば、図１及び図２（ｂ）に示すように、リモコン収納部１５，表示部１６，第１受光部１７，受信部としての第２受光部１８，操作部１９，係止部２０，充電部２１等を備えて構成される。
【００３３】
リモコン収納部１５は、例えば、テレビ受像機本体２の前面２２側に設けられるリモコン１と略同形の穴部であって、リモコン１をその操作面３がテレビ受像機本体２の前面２２側となるように収納する。
【００３４】
表示部１６は、例えば、テレビ受像機本体２の前面２２側に設けられ、リモコン１から送信される操作信号に制御されて、所定の映像等を表示する。また、ＣＰＵ２４が後述するＯＳＤ表示プログラム２６Ｃを実行することにより制御されて、所定の表示をＯＳＤ表示する。
【００３５】
第１受光部１７は、例えば、テレビ受像機本体２の前面２２の下部に設けられ、リモコン１がリモコン収納部１５に収納されていない状態でリモコン１から送信される操作信号を受光する。
【００３６】
第２受光部１８は、例えば、リモコン収納部１５の上壁面１５Ｂに設けられ、リモコン１がリモコン収納部１５に収納されている状態でリモコン１から送信される操作信号を受光する。
【００３７】
操作部１９は、例えば、リモコン収納部１５の底壁面１５Ａに設けられ、所定の操作信号を出力する操作ボタン１９１等を備えて構成される。所定の操作信号を出力する操作ボタン１９１としては、例えば、電源ボタン，チャンネルボタン，音量ボタン等が挙げられる。また、これらの操作ボタン１９１は、例えば、図３（ｃ）に示すように、操作ボタン１９１の表面が、リモコン収納部１５の底壁面１５Ａ表面と略同一面となるように、設けられている。また、図３（ｃ）に示すように、これらの操作ボタン１９１の奥側には、押下されることによりＯＮとなるスイッチ１９２が接続され、スイッチ１９２がＯＮされることによって、操作信号が出力されるようになっている。
【００３８】
係止部２０は、例えば、リモコン収納部１５の底壁面１５Ａに設けられ、リモコン１が当該リモコン収納部１５に収納される際に、リモコン１の係合穴８に係合されることにより、当該リモコン１を係止する。
【００３９】
充電部２１は、例えば、電源２１Ａ及びコイル２１Ｂ等を備えて構成されており、無接点方式により、リモコン１の充電電池９通電して充電電池９を充電する。より具体的には、充電部２１の電源２１Ａによりコイル２１Ｂに電流が流され、コイル２１Ｂの周囲に磁界が形成され、当該磁界によって、リモコン１の充電電池９のコイル９Ｂに誘電電流が流され、電池本体９Ａが充電される。
【００４０】
また、テレビ受像機本体２は、例えば、図３（ｂ）に示すように、リモコン検出部２３，ＣＰＵ２４，ＲＡＭ２５，記憶部２６等を備えて構成され、ＣＰＵ２４は、第１受光部１７，第２受光部１８，操作部１９，リモコン検出部２３，充電部２１，表示部１６等と接続されている。
【００４１】
リモコン検出部２３は、係止部２０にリモコン１が係止されたことに基づいて、リモコン１がリモコン収納部１５に収納されたことを検出する。より具体的には、例えば、リモコン検出部２３は、係止部２０に接続されたスイッチ（図示省略）等を備えて構成され、係止部２０にリモコン１が係止されることによって係止部２０がリモコン１の重さにより下側へ移動することによりスイッチがＯＮとなることにより、リモコン１がリモコン収納部１５に収納されたことを検出し、検出信号をＣＰＵ２４に出力する。
【００４２】
ＣＰＵ２４は、記憶部２６に格納された処理プログラム等を読み出して、ＲＡＭ２５に展開して実行することにより、テレビ受像機本体２全体の制御を行う。
【００４３】
ＲＡＭ２５は、ＣＰＵ２４により実行された処理プログラム等を、ＲＡＭ２５内のプログラム格納領域に展開するとともに、入力データや上記処理プログラムが実行される際に生じる処理結果等をデータ格納領域に格納する。
【００４４】
記憶部２６は、例えば、プログラムやデータ等が予め記憶されている記録媒体（図示せず）を有しており、この記録媒体は、例えば、半導体メモリ等で構成されている。また、記憶部２６は、ＣＰＵ２４がテレビ受像機本体２全体を制御する機能を実現させるための各種データ，各種処理プログラム，これらプログラムの実行により処理されたデータ等を記憶する。より具体的には、記憶部２６は、例えば、図３（ｂ）に示すように、判断プログラム２６Ａ，充電制御プログラム２６Ｂ，ＯＳＤ表示プログラム２６Ｃ等を格納している。
【００４５】
判断プログラム２６Ａは、例えば、ＣＰＵ２４に、リモコン検出部２３から出力される検出信号の有無に基づいて、リモコン１がリモコン収納部１５に収納されたか否かを判断する機能を実現させるプログラムである。ＣＰＵ２４は、かかる判断プログラム２６Ａを実行することにより、判断手段として機能する。
【００４６】
充電制御プログラム２６Ｂは、例えば、ＣＰＵ２４に、判断プログラム２６Ａを実行することにより、リモコン１がリモコン収納部１５に収納されたと判断した場合に、充電部２１を制御して、通電を行わせ、リモコン１の充電電池９を充電させる機能を実現させるプログラムである。
【００４７】
ＯＳＤ表示プログラム２６Ｃは、例えば、ＣＰＵ２４に、リモコン１から送信される通知情報を受信した場合に、表示部１６を制御して、リモコン１の充電電池９の電源電圧が所定電圧以下である旨を所定の表示によりＯＳＤ表示させる機能を実現させるプログラムである。ＣＰＵ２４は、かかるＯＳＤ表示プログラム２６Ｃを実行することにより、表示制御手段として機能する。
【００４８】
次に、上述のような構成のテレビ受像装置１００のリモコン１の充電電池９の電源電圧が所定電圧以下である旨を表示する動作について、図４に示すフローチャートを参照しながら説明する。
まず、リモコン１において、検出部１０により、リモコン１の充電電池９の電源電圧が検出され、ＣＰＵ１２が、通知プログラム１４Ａを実行することにより、検出部１０によって検出された充電電池９の電源電圧が所定電圧以下か否かを判断する（ステップＳ１）。
【００４９】
ステップＳ１において、ＣＰＵ１２が、充電電池９の電源電圧が所定電圧以下ではないと判断した場合には（ステップＳ１；Ｎｏ）、ステップＳ１の処理を繰り返す。
ステップＳ１において、ＣＰＵ１２が、充電電池９の電源電圧が所定電圧以下であると判断した場合には（ステップＳ１；Ｙｅｓ）、ＣＰＵ１２は、通知プログラム１４Ａの実行に基づいて、ユーザにより、例えば、リモコン１の音量キー６が押下されて操作信号が送信されるのに伴って、リモコン１の充電電池９の電源電圧が所定電圧以下であるという通知情報をテレビ受像機本体２に送信する（ステップＳ２）。
【００５０】
次に、テレビ受像機本体２において、リモコン１から送信される通知情報を受信すると（ステップＳ３）、ＣＰＵ２４は、ＯＳＤ表示プログラム２６Ｃを実行することにより、表示部１６を制御して、リモコン１の充電電池９の電源電圧が所定電圧以下である旨を所定の表示によりＯＳＤ表示させる（ステップＳ４）。
【００５１】
以上に説明した本発明に係るテレビ受像装置１００によれば、テレビ受像機本体２は、リモコン収納部１５に、リモコン１をその操作面３が当該テレビ受像機本体２の前面２２側となるように収納し、第２受光部１８により、リモコン収納部１５に収納された状態のリモコン１から出力される操作信号を受信するので、リモコン収納部１５に収納した状態のリモコン１をテレビ受像装置１００の操作パネルとして使用することができ、テレビ受像装置１００に操作パネルを別途設ける場合に比べて、当該テレビ受像装置１００の製造コストを低減することができる。また、リモコン１をリモコン収納部１５に収納することにより、ユーザが、リモコン１がどこにあるかを探し回ることを少なくすることができ、当該テレビ受像装置１００の使い勝手をより良くすることができる。
また、充電部２１において、リモコン１の充電電池９が無接点方式により充電されるので、接点方式による充電方法の場合における接点部分がさびることによって充電ができなくなることがないこととなって、当該テレビ受像装置１００の耐久性をより高くすることができる。
【００５２】
また、所定の操作信号を出力可能な操作部１９がリモコン収納部１５の底壁面１５Ａに設けられているので、リモコン１の充電電池９が切れてしまっても、操作部１９により所定の操作が可能となり、より使い勝手のよいテレビ受像装置１００とすることができる。
【００５３】
また、ＣＰＵ２４が判断プログラム２６Ａを実行することにより、係止部２０にリモコン１が係止されているか否かが判断され、充電部２１は、係止部２０にリモコン１が係止されていると判断された場合に、充電を行うので、リモコン収納部１５にリモコン１を収納するだけでリモコン１の充電ができるとともに、リモコン１を充電しない場合に、充電部２１が無駄に通電を行わずに済むこととなって、使い勝手がよく無駄の少ないテレビ受像装置１００とすることができる。
【００５４】
また、リモコン１において、検出部１０により、充電電池９の電源電圧が検出され、ＣＰＵ１２が通知プログラム１４Ａを実行することにより、検出部１０によって検出された電源電圧が所定電圧以下か否かが判断され、電源電圧が所定電圧以下であった場合に、テレビ受像装置１００に通知情報が送信され、テレビ受像機本体２において、リモコン１から送信された通知情報を受信した場合に、ＣＰＵ２４がＯＳＤ表示プログラム２６Ｃを実行することにより、表示部１６にリモコン１の電源電圧が所定電圧以下である旨が所定の表示により表示されるので、ユーザがリモコン１をリモコン収納部１５に収納しなくても、リモコン１の充電電池９が電池切れしそうであることを容易に気づくことができ、さらに使い勝手がよいテレビ受像装置１００とすることができる。
【００５５】
なお、係止部２０は、本実施形態の構造に限られるものではなく、リモコン１がテレビ受像機本体２に係止されるものであればよい。例えば、係止部２０がマグネットを備えて構成され、リモコン１の係止部２０に相当する位置にマグネットを設け、マグネットの引力によりリモコン１がテレビ受像機本体２に係止されるものであってもよい。この場合、リモコン検出部２３を、例えば、リモコン収納部１５の底壁面１５Ａに当該底壁面１５Ａから突出するボタン等を備えて構成し、リモコン１がリモコン収納部１５に収納された際に当該ボタンが押下されることにより、リモコン１がリモコン収納部１５に収納されたことを検出するように構成してもよい。
【００５６】
また、テレビ受像機本体２がリモコン１から送信された通知情報を受信した場合に、表示部１６にＯＳＤ表示することによりユーザに通知することとしたが、通知方法はこれに限られるものではなく、例えば、音声や通知音等により通知してもよい。
また、本実施形態では、電子機器としてテレビ受像装置１００を例示して説明したが、これに限られるものではなく、例えば、ＤＶＤプレーヤ，デジタル放送受信装置，オーディオ機器等のリモコン操作が行われる種々の電子機器であっても良い。
【図面の簡単な説明】
【００５７】
【図１】本発明に係るテレビ受像装置を示す図である。
【図２】本発明に係るリモコンを示す背面図（図２（ａ）），本発明に係るリモコン収納部を示す斜視図（図２（ｂ）），図２（ｂ）のＣ−Ｃ断面図（図２（ｃ））である。
【図３】本発明に係るリモコンの構成を示すブロック図（図３（ａ）），本発明に係るテレビ受像機本体の構成を示すブロック図（図３（ｂ））である。
【図４】本発明に係るテレビ受像装置の動作を説明するフローチャートである。
【符号の説明】
【００５８】
１  リモコン
２  テレビ受像機本体（電子機器本体）
３  操作面
９  充電電池
１０  検出部
１２  ＣＰＵ（通知手段）
１４Ａ  通知プログラム（通知手段）
１５  リモコン収納部
１５Ａ  底壁面（壁面）
１６  表示部
１８  第２受光部（受信部）
１９  操作部
２０  係止部
２１  充電部
２２  前面
２４  ＣＰＵ（判断手段，表示制御手段）
２６Ａ  判断プログラム（判断手段）
２６Ｃ  ＯＳＤ表示プログラム（表示制御手段）
１００  テレビ受像装置（電子機器）
【図１】
2007150501.tif 000003
【図２】
2007150501.tif 000004
【図３】
2007150501.tif 000005
【図４】
2007150501.tif 000006